(57)【要約】  回折ディスプレイ要素が提供され、回折ディスプレイ要素は、導波路本体と、光を導波路本体内に回折し結合するための入力結合領域と、光を導波路本体から回折し結合するための出力結合領域と、を備え、前記光は、前記入力結合領域から出力結合領域まで主要なルートに沿って伝搬するように構成される。本発明によれば、要素は、前記主要なルートから外れた光を前記主要なルートに戻して回折し反射させるための少なくとも１つの格子ミラーを前記主要なルートの外側にさらに備える。本発明により、導波路ベースのパーソナル・ディスプレイの効率を増加させることができる。【特許請求の範囲】
【請求項１】
回折ディスプレイ要素であって、前記回折ディスプレイ要素は、
導波路本体と、
光を前記導波路本体内に回折し結合するための入力結合領域と、
光を前記導波路本体から回折し結合するための出力結合領域と、を備え、前記光は、前記入力結合領域から前記出力結合領域まで主要なルートに沿って伝搬するように構成され、
前記要素は、前記主要なルートから外れた光を前記主要なルートに戻して回折し反射させるための少なくとも１つの格子ミラーを前記主要なルートの外側にさらに備え、
前記格子ミラーは、前記主要なルートから見ると、前記入力結合領域の後方に位置する、及び／又は、
前記出力結合領域は、組み合わせた出力結合及び射出瞳拡大格子を備え、前記出力結合領域の少なくとも２つの側に格子ミラーが提供される、及び／又は、
前記要素は、前記主要なルート上の射出瞳拡大領域をさらに備え、前記主要なルートから見ると、前記射出瞳拡大領域の後方に位置する２つの格子ミラーが、前記射出瞳拡大領域の２つの異なる側に存在する、
回折ディスプレイ要素。
【請求項２】
前記入力結合領域は、入力結合周期を有する格子を備え、前記出力結合領域は、出力結合周期を有する格子を備え、前記格子ミラーは、前記入力結合周期又は出力結合周期の半分に達する格子ミラー周期を有する格子を備える、
請求項１に記載の要素。
【請求項３】
前記格子ミラーは、前記反射のために１次反射回折次数を用いるように構成される、
請求項１又は２に記載の要素。
【請求項４】
前記格子ミラーは、迷光の伝搬方向に対して反対の伝搬方向に実質的に光を反射するように構成される、
請求項１から３までのいずれかに記載の要素。
【請求項５】
前記格子ミラーは、前記入力結合領域から前記入力結合領域を過ぎて前記格子ミラーまで回折される光の少なくとも一部を、前記主要なルートまで、特に、前記主要なルート上の射出瞳拡大格子の方に向けるように構成される、
請求項１から４までのいずれかに記載の要素。
【請求項６】
前記入力結合領域は、偏光に高感度であり、前記要素は、反射光の偏光状態を変化させるための手段を備え、前記入力結合領域を通過する反射光の出力結合を防止する、
請求項１から５までのいずれかに記載の要素。
【請求項７】
前記格子ミラーは、前記主要なルートから見ると、前記出力結合領域の後方に位置する、
請求項１から６までのいずれかに記載の要素。
【請求項８】
前記出力結合領域は、組み合わせた出力結合及び射出瞳拡大格子を備え、前記出力結合領域の４つの側にミラー格子が提供される、
請求項１から７までのいずれかに記載の要素。
【請求項９】
迷光は、
前記主要なルートに直接向けられた光とは反対の回折次数に前記入力結合領域から逃れる光、
前記出力結合領域から出力結合されずに、前記出力結合領域から逃れる光、
その最初の伝搬方向の方に射出瞳拡大領域から逃れる光、
前記出力結合領域とは反対方向に射出瞳拡大領域から逃れる光、
のうちの少なくとも１つを含む、
請求項１から８までのいずれかに記載の要素。
【請求項１０】
前記入力結合領域は、前記導波路の表面上に配置される入力結合格子を備え、前記格子ミラーは、前記入力結合格子と前記導波路の同じ前記表面上に位置する、及び／又は、
出力結合領域は、前記導波路の表面上に配置される出力結合格子を備え、前記格子ミラーは、前記出力結合格子と前記導波路の同じ前記表面上に位置する、
請求項１から９までのいずれかに記載の要素。
【請求項１１】
前記格子ミラーの少なくとも大部分、例えば、前記格子ミラー全体は、前記入力結合領域及び前記出力結合領域によって、及びオプションで射出瞳拡大領域によって横方向に広がるゾーンの外側に位置する、
請求項１から１０までのいずれかに記載の要素。
【請求項１２】
前記主要な反射方向の前記格子ミラーの寸法は、前記要素に入力結合した光のホップ長より大きい、
請求項１から１１までのいずれかに記載の要素。
【請求項１３】
前記要素は、複数の前記格子ミラーを備える、
請求項１から１２までのいずれかに記載の要素。
【請求項１４】
請求項１から１３までのいずれかに記載の回折ディスプレイ要素及びイメージを前記入力結合領域に示すためのイメージ・プロジェクタを備えるヘッド・マウント・ディスプレイ（ＨＭＤ）又はヘッド・アップ・ディスプレイ（ＨＵＤ）のようなパーソナル・ディスプレイ・デバイス。
【発明の詳細な説明】
【技術分野】
【０００１】
本発明は、回折ディスプレイ技術に関する。特に、本発明は、入力結合格子、出力結合格子、及びオプションで射出瞳拡大（ＥＰＥ）格子を備える導光体ベースの回折ディスプレイ要素に関する。この種のディスプレイ要素は、パーソナル・ディスプレイ、例えば、ヘッド・マウント・ディスプレイ（ＨＭＤ）、例えば、ニアアイ・ディスプレイ（ＮＥＤ）及びヘッド・アップ・ディスプレイ（ＨＵＤ）において使用可能である。
【背景技術】
【０００２】
ＨＭＤ及びＨＵＤは、導波路技術を用いて実施可能である。光は、導波路に結合することができ、導波路内で向けなおすことができ、又は、回折格子を用いて導波路から出力結合することができる。１つの従来のディスプレイ設計では、光はプロジェクタから入力結合格子まで向けられ、入力結合格子は入射光を導波路内に回折させ、導波路では、光は全反射を介して出力結合格子の方に伝搬する。出力結合格子は、導波路から光を回折させ、入力結合格子に最初に表示されたイメージを複製する。ＥＰＥ格子は、入力結合格子と出力結合格子との間で用いられ、ディスプレイの可視領域を横方向に拡大する。
【０００３】
導波路ベースのディスプレイの１つの問題は、導波路要素、すなわちその上に配置される導波路本体及び格子の全効率が、典型的には、約０．１から５％と非常に低いということである。これは、格子の比較的低い結合効率及び光が要素内を進む間に生ずる他の損失のためである。
【０００４】
したがって、導波路ディスプレイを改善する必要がある。
【発明の概要】
【発明が解決しようとする課題】
【０００５】
本発明の目的は、導波路ディスプレイの効率を増加させることである。
【課題を解決するための手段】
【０００６】
目的は、独立請求項において述べられることによって達成される。
【０００７】
本発明は、入力結合格子から出力結合格子の方にルートから外れた光がこのルートに戻されるように、少なくとも１つの格子ベースのミラーを導波路要素に提供するというアイディアに基づく。すなわち、さもなければ失われた光は、光の「通常の」ルートを定義する格子の１つに反射されて戻り、さらに出力結合格子の方に反射される。
【０００８】
一態様によれば、回折ディスプレイ要素が提供され、回折ディスプレイ要素は、導波路本体と、光を導波路本体内に回折し結合するための入力結合領域と、光を導波路本体から回折し結合するための出力結合領域と、を備え、前記光は、前記入力結合領域から出力結合領域まで主要なルートに沿って伝搬するように構成される。本発明によれば、要素は、前記主要なルートから外れた光を前記主要なルートに戻して回折し反射させるための少なくとも１つの格子ミラーを前記主要なルートの外側にさらに備える。
【０００９】
主要なルートから外れることは、例えば、主要なルートから離れた１つ又は複数の回折次数の回折により、又は、それと相互作用することなく、主要なルート上の格子領域にわたり光線が進むことにより発生しうる。
【００１０】
他の態様によれば、例えば、この種類の回折ディスプレイ要素及びイメージを入力結合領域に向けるためのイメージ・プロジェクタを備えるパーソナル・イメージ・ディスプレイ・デバイスが提供され、入力結合領域では、それは、回折され、全反射を介して進むための導光体に結合される。イメージは、要素の出力結合領域によって、最初のイメージを見るユーザの目の方に出力結合される。デバイスは、ヘッド・マウント・ディスプレイ（ＨＭＤ）、例えば、ニアアイ・ディスプレイ（ＮＥＤ）又はヘッド・アップ・ディスプレイ（ＨＵＤ）とすることができる。
【００１１】
本発明は、重要な利点を提供する。第１に、本発明は、一般的に、導波路要素の効率を増加させる。なぜなら、ミラー格子は、さもなければ無駄になる光を捕えることができ、したがって、より多くの光が入力結合器から出力結合器まで導かれるからである。これは、ディスプレイの輝度が増加する、又は、プロジェクタの出力を減少できるという利点を有する。
【００１２】
本発明の実施例は、さらなる利点を有する。例えば、格子ミラーが入力結合又は出力結合格子に関連して用いられるとき、以下で詳述するように、イメージの均一性を増加することができる。
【００１３】
また、本発明によって、入力結合格子のサイズを減少することができ、これは、ディスプレイの形状因子及びサイズ要件にプラスの影響を与える。
【００１４】
導波路の端は、最初の虚像と整合しない鏡像を生成するため、（例えば、反射材料でコーティングすることによって）ミラーとして用いることができないことに留意されたい。しかしながら、この格子ベースのミラーは、イメージのトポロジを維持し、それゆえそれを強化する。
【００１５】
従属請求項は、本発明の選択された実施例に向けられる。
【００１６】
いくつかの実施例では、入力結合領域は、入力結合周期を有する格子を備え、格子ミラーは、入力結合周期の半分に達する格子ミラー周期を有する。これは、典型的には入力結合格子の格子線に平行な格子線を有する入力結合格子ミラー又は垂直ＥＰＥ格子ミラーのために特に有益である。
【００１７】
いくつかの実施例では、出力結合領域は、出力結合周期を有する格子を備え、格子ミラーは、出力結合周期の半分に達する格子ミラー周期を有する格子を備える。これは、典型的には入力結合格子の格子線に垂直な格子線を有する出力結合格子ミラー又は水平ＥＰＥ格子ミラーのために特に有益である。
【００１８】
いくつかの実施例では、格子ミラーは、前記反射のために１次反射回折次数を用いるように構成される。特に、１次のプラスの次数が使用可能である。
【００１９】
いくつかの実施例では、格子ミラーは、迷光の伝搬方向に対して反対の伝搬方向に実質的に光を反射するように構成される。しかしながら、後述するように、斜めの反射もまた使用可能である。
【００２０】
いくつかの実施例では、格子ミラーは、入力結合領域に関連付けられ、すなわち、主要なルートから見ると、入力結合領域の後方に位置する。１つの実例では、格子ミラーは、入力結合領域から入力結合領域を過ぎて格子ミラーまで回折される光の少なくとも一部を、主要なルートまで向けるように構成される。これを用いて、ディスプレイの強度均一性を増加させることができる。他の実例では、入力結合領域は、偏光に高感度であり、要素は、反射光の偏光状態を変化させるための手段を備え、入力結合領域を通過する反射光の出力結合を防止する。これは、効率をさらに増加させる。
【００２１】
いくつかの実施例では、格子ミラーは、出力結合領域に関連付けられ、すなわち、主要なルートから見ると、出力結合領域の後方に位置する。これは、ディスプレイの全体の効率を増加させ、イメージの均一性もまた増加させる。
【００２２】
いくつかの実施例では、要素は、主要なルートの一部を形成する射出瞳拡大（ＥＰＥ）領域をさらに備える。ＥＰＥ領域に関連付けられた、すなわち（主要なルートから見ると）ＥＰＥ領域の後方に位置する２つの格子ミラーが、横方向にその異なる側に存在する。これはまた、ディスプレイの全体の効率を改善し、このことは、ＥＰＥが用いられるとき、ディスプレイの射出瞳を増加させながら、さもなければ大きな損失を与えるので、特に重要である。
【００２３】
典型的な実施例では、格子ミラーの少なくとも大部分、典型的には格子ミラー全体は、入力結合領域及び出力結合領域によって、及びオプションで射出瞳拡大領域によって横方向に広がるゾーンの外側に位置する。本願明細書において、このゾーンは、光が、入力結合器から出力結合器まで、及び、さらに導波路から出て進むことを意図する主要なルートを含む「主要な伝搬ゾーン」と呼ばれる。
【００２４】
いくつかの実施例では、主要な反射方向の格子ミラーの寸法は、反射される伝搬光のホップ長より大きい。これは、最大効率を確実にする。
【００２５】
単一の導波路上の格子ミラーの数は、例えば、１、２、３又は４とすることができる。上述した４つの典型的な位置は、以下に詳細に示される。
【００２６】
次に、本発明の実施例及びその利点は、添付の図面を参照してさらに詳細に述べられる。
【図面の簡単な説明】
【００２７】
【図１】従来の格子構成の平面図を示す。
【図２Ａ】入力結合格子に関連付けられた格子ミラーの詳細な平面図を示す。
【図２Ｂ】入力結合格子に関連付けられた格子ミラーの詳細な平面図を示す。
【図３】ＥＰＥ格子に関連付けられた格子ミラーの詳細な平面図を示す。
【図４Ａ】出力結合格子に関連付けられた格子ミラーの詳細な平面図を示す。
【図４Ｂ】図４Ａの構成において行われている反射事象のｋ空間表現を示す。
【図５Ａ】導波路ミラーを異なる位置に備える導波路要素の導波路の全体図を示す。
【図５Ｂ】導波路ミラーを異なる位置に備える導波路要素の導波路の全体図を示す。
【図５Ｃ】導波路ミラーを異なる位置に備える導波路要素の導波路の全体図を示す。
【図５Ｄ】導波路ミラーを異なる位置に備える導波路要素の導波路の全体図を示す。
【図６】光の主要な伝搬ゾーン及び経路を示す。
【発明を実施するための形態】
【００２８】
図１は、回折導光体のための従来の格子構成を示す。導光体面は、入力結合格子１１、射出瞳拡大（ＥＰＥ）格子１２及び出力結合格子１３を含む。上述したように、このような回折導光体の全効率は、典型的には比較的低い。すべての格子は、なんらかの光損失を生ずる。入力結合器は、＋／−１の回折次数によって、光線１５及び１４を生成する。光線１４のエネルギーは失われる。ＥＰＥ格子は、光線１５の入射エネルギーの一部を出力結合器の方に向け、残りは光線１６を介して失われる。出力結合器は、ＥＰＥから来る光線を部分的に出力結合するが、光線１７は、出力結合器の後、導光体の内側に残る。一般的に望ましくない損失を生ずる光線１４、１６、１７は、本願明細書において集合的に、「迷光」又は「迷光線」と呼ばれる。
【００２９】
本発明の実施例によって迷光線１４、１６及び１７を出力結合器上に向けなおすことによって、導光体の全効率は増加する。上述したように、これは、ミラーとして作用する格子を用いて有利に実行され、それにより、光をその最初の伝搬方向に実質的に戻して反射することができる。
【００３０】
要約すると、例えば、迷光は、前記主要なルートに直接向けられた光とは反対の回折次数に入力結合領域から逃れる光、出力結合領域から出力結合されずに、出力結合領域から逃れる光、その最初の伝搬方向の方に射出瞳拡大領域から逃れる光、又は、出力結合領域とは反対方向に射出瞳拡大領域から逃れる光を含んでもよい。本発明の実施例は、これらのケースのすべての利点を提供する。
【００３１】
１つの実例では、格子ミラーは、要素の入力結合格子の周期の正確に半分である周期を有する線形（１次元）格子である。これらの２つの格子間の格子線方向は、典型的には、格子ミラーの使用の位置に応じて、同一であるか又は９０度傾いている。ＥＰＥによって、光の伝搬方向の９０度の変化が生ずる直角配置が本願明細書において示されているが、本発明が他の任意の配置でも使用可能であることに留意されたい。
【００３２】
図２Ａは、格子ミラー２２Ａを伴う入力結合格子２１（「入力結合器」）を示す。入力結合器２２Ａの１次回折次数は、光線２３、２６を主要なルートの方に生成し、一方、マイナス１次の次数は、格子ミラー２２Ａの方に伝搬する光線２４、２８を生成する。格子ミラー２２Ａからの斜光線２４の反射は、光線２３に平行な光線２５を生成し、したがって、入力結合器２１を迂回し、主要な伝搬経路の方に進む。この構成を用いて、より詳しくは図５Ａに示されるように、例えば、特にイメージの角領域上の明るさを増加させることができる。この領域は、従来の構成では輝度が低い。
【００３３】
小さい入射角を有する光線２８は、光線２９として入力結合器２１の方に反射され、それによって、それらの一部は、入力結合器によって出力結合される。これは、一般的に望ましくないが、偏光に高感度な入力結合器２１及び入射光の偏光状態を変化させる格子ミラー２２を用いて、少なくとも部分的に防止可能である。代替的には、導波路の表面上の偏光変化要素が、入力結合器２１と格子ミラー２２Ａとの間に存在してもよい。
【００３４】
図２Ｂは、格子ミラーが入力結合器の周りに部分的に配置される代替実施例を示す。すなわち、ここでは、入力結合器２１の外面の半分近くは、格子ミラー２２Ｂによって囲まれる。これを用いて、迷光を「捕える」ことによってさらに効率を増加させることができる。
【００３５】
格子ミラー２２Ａ、２２Ｂは、２倍の長さ、すなわちＧＭ＿ＩＣ＝２ＧＩＣである点以外、入力結合器２１の格子ベクトル（ＧＩＣ）と同一の格子ベクトル（ＧＭ＿ＩＣ）を有する。これは、入力結合器２１及び格子ミラー２２Ａ、２２Ｂの格子溝が平行であるが、格子ミラー２２Ａ、２２Ｂの周期は入力結合器２１の周期の半分だけであることを意味する。格子ミラー２２Ａ、２２Ｂは、各光線が少なくとも一回格子ミラー２２Ａ、２２Ｂと相互作用するように、光線伝搬の方向に長い必要がある。これらの有利な原則は、一般的に、他の実施例にもあてはまる。
【００３６】
図３では、２つの格子ミラー３２、３３を用いて、ＥＰＥ格子３１の効率を強化する。入射光線３４がＥＰＥ格子３１と相互作用するとき、垂直及び水平の出力光線３６、３８が生成される。水平の出力光線３５は、出力結合器の方に伝搬する。垂直の出力光線３６は、垂直に配置された格子ミラー３２に当たり、ＥＰＥ格子の方に戻って反射される。垂直格子ミラー３２は、格子ベクトルＧＶＭ＿ＥＰＥ＝−２ＧＩＣを有する。ＥＰＥ格子ベクトルの方向のため、入力結合器の方に伝搬する光線３７は、部分的に光線３８に分割され、光線３８は、格子ベクトルＧＨＭ＿ＥＰＥ＝−２ＧＯＣを有する水平格子ミラー３３の方に上方に伝搬し、ここで、ＧＯＣは出力結合格子の格子ベクトルである。反射光線３９は、ＥＰＥ格子と再び相互作用する。光線は、ＥＰＥの内部で回折し、分割する。回折光線の一部は出力結合器で終わり、ある部分は垂直格子ミラーで終わる。これは、格子ミラーが１００％の効率を有する場合、光が実質的に出力結合器の方にのみ逃げ、光が失われないことを意味する。
【００３７】
図４Ａは、格子ミラー４２を有する出力結合器４１を示す。出力結合器を通って進んだ光線４３は、格子ミラーで回折し、反射光線４４を生成する。反射光線は、出力結合器４１を通って進み、目の方に部分的に出力結合する。格子ミラー４２は、格子ベクトルＧＭ＿ＯＣ＝２ＧＯＣを有する。
【００３８】
図４Ｂは、虚像の正規化された波数ベクトル成分がどのように出力結合器４１の格子ベクトル及び格子ミラー４２によって平面（ｋｘ、ｋｙ）でシフトされるかを示す。出力結合器４１は、「屈折率ドーナツ」の内側の第１の位置４５から中心の第２の位置４６までイメージ・ボックスを移動し、一方、格子ミラー４２は、第１の位置４５から第３の位置４７までイメージを移動し、依然として「ドーナツ」の内側で反対方向に伝搬する。光線が全反射を介して導光体内部で伝搬するとき、（ｋｘ、ｋｙ）の正規化された波数ベクトルは、１（空気の屈折率）より大きいが、導波路の屈折率（ｎｗｇ）より小さい長さを有する。（ｋｘ、ｋｙ）ベクトルがより長いほど、導波路表面の間で伝搬するとき、光線が行うジャンプはより長い。
【００３９】
図４Ｂはまた、イメージ点４８（黒点によってマークされる）の位置が格子反射の後、単位円に関してどのように変化するかについても示す。距離はより大きくなる。これは、格子反射の後、光線がより長いジャンプによって伝搬することを意味する。内側境界より外側境界により近い（ｋｘ、ｋｙ）点のために後退が起こる。したがって、下方及び上方に伝搬する光線の平均ジャンプ長がより等しくなるとき、格子ミラーを用いて、出力結合器におけるより均一な強度分布を得ることができる。これはまた、典型的には、入力結合器のサイズが、導光体内部の光線の最大ジャンプ長から定義されるので、入力結合器が１次元により小さくできることも意味する。入力結合器がより小さいほど、プロジェクタはより小さく、メガネ類の形状因子はより良好になる。出力結合器におけるより均一な強度分布はまた、視野及びアイボックスにおける白色の均一性がより良好になることを意味する。
【００４０】
図５Ａから図５Ｄは、入力結合器５２、ＥＰＥ格子５４及び出力結合器５６を備える例示的な導波路５０を用いて上述した実施例を詳細に示す。図５Ａでは、入力結合器５２の後方に位置決めされる入力結合格子ミラー５３Ａが存在する。ＥＰＥが入力結合器から「間違った」方向に、また少なくともいくつかの斜角で出射する光線を捕えることができるように、ミラー５３Ａ及びＥＰＥ５４は、入力結合器５２に対して位置決めされる。これは、前方の角領域におけるイメージの均一性を増加させる。図２Ａ及び図２Ｂを参照して上述したように、効率の改善はまた、直接水平光線の使用を捕えることによって、特に偏光を利用することによって達成可能である。
【００４１】
図５Ｂは、ＥＰＥ格子５４にそれぞれ隣接する水平及び垂直ミラー格子５３Ｂ、５３Ｃを用いる利点を概略的に示す。図示のように、ＥＰＥを水平に通過する光の部分は、垂直に配置されたミラー格子５３Ｃによって戻って反射される。反射光の大部分は、ＥＰＥによって、水平に配置されたミラー格子５３Ｂの方向にさらに向けられ、さらに出力結合器５６の方に戻って反射される。
【００４２】
図５Ｃは、出力結合器５６の後方のミラー格子５３Ｂの利点を示す。
【００４３】
図５Ｄは、二重周期の出力結合／瞳拡大格子５６０Ｄが、水平格子ミラー（５３３Ｄ、５３４Ｄ）及び垂直格子ミラー（５３１Ｄ、５３２Ｄ）によって囲まれる格子構成を示す。入力結合格子５２０Ｄは、通常の線形格子又は二重周期格子とすることができる。入力結合格子５２０Ｄは、図５Ｄに示すように、組み合わせた出力結合／瞳拡大格子５６０Ｄの外側境界内に位置することができるか、又は、その側に位置することができる。
【００４４】
すべての場合において、ミラー格子は、好ましくは、それが関連付けられた格子のそれぞれの寸法と少なくとも同一であるか又はそれより大きい幅を有する。ミラー格子の垂直な平面方向の寸法、すなわち、主伝搬方向の長さは、好ましくは、全反射を介して導波路内で伝搬する光線のホップ（ジャンプ）長より大きく、ホップ（ジャンプ）長は、基板の厚さ、用いられる波長及び格子によって決定される光線の伝搬角度に依存する。
【００４５】
いくつかの実施例では、ミラー格子は、実質的に矩形形状を有する。典型的には、格子ミラーは、その格子ベクトルに平行な寸法（長さ）が格子線に沿った寸法（幅）より短い。
【００４６】
最後に、図６は、入力結合、出力結合及びＥＰＥ格子によって横方向に広がる主要な伝搬ゾーン６２（すなわち、格子の周りに配置されたゴムバンドのような、最小の円周で格子を完全に囲むゾーン）を示す。したがって、主要なルートは、導波路の特性とともにこれらの格子によって完全に区画され、それによって、光線の主要な伝搬経路は、このゾーンの内側に残る。ミラー格子は、このゾーンの外側に位置する。しかしながら、例えば、図２Ｂの構成においてありうるように、ミラー格子のいくつかの部分が主要な伝搬ゾーン６２の内側にあることは除外されない。しかしながら、典型的には、各ミラー格子の少なくとも５０％、例えば少なくとも７５％は、このゾーン６２の外側にある。
【００４７】
大きな射出瞳が必要とされないいくつかの用途では、ＥＰＥ格子は省略可能である。
【００４８】
ＥＰＥ格子の代わりに、又は、ＥＰＥ格子に加えて、要素は、導波路内部の光照射野を修正するように構成された１つ又は複数の中間格子を備えてもよい。１つ又は複数の追加の格子ミラーは、この種の追加格子に関連付けられてもよい。
【００４９】
製造の単純化に関して有益な典型的な実施例では、格子ミラーは、それが関連付けられた格子と導波路の同じ表面上に位置するが、格子ミラーはまた、他の表面上に位置することもできる。ミラー格子が両方の表面上に存在することもまた除外されない。
【００５０】
また、本発明がさまざまな他のディスプレイ形状及び構成に適用できる点に留意されたい。例えば、視野（ＦＯＶ）又は全波長範囲は、ＦＯＶ又は波長が異なるルートに沿って少なくとも部分的に伝搬するような適切な格子配置によって分割可能である。これらの場合、本願明細書において述べられるミラー格子及び原則は、すべてのこれらの格子及びルートのために別々に使用可能である。
【００５１】
多層導波路の場合、例えば、各層が異なる波長帯域を扱う場合、本発明の実施例は、各層に別々に適用可能である。
【００５２】
本発明の実施例は、広帯域照明及び（狭いマルチバンドを含む）狭帯域照明及びプロジェクタにおいて使用可能である。
【００５３】
導波路は、平面透明材料、典型的には、プラスチック又はガラスの平面部品とすることができ、２つの平行な主面を有することができる。すべての格子５２、５３Ａ−Ｄ、５４、５６は、例えば、表面レリーフ格子（ＳＲＧ）として、又は、追加の材料を回折特徴として表面に提供することによって、又は、他の回折光学素子（ＤＯＥ）として製造可能である。１つ実例では、格子は、少なくとも１つの酸化物又は窒化物材料、例えば、ＴｉＯ２、Ｓｉ３Ｎ４及びＨｆＯ２からなる線形特徴をガラス導波路上に備える。
【図１】
2021512357.tif 000002
【図２Ａ】
2021512357.tif 000003
【図２Ｂ】
2021512357.tif 000004
【図３】
2021512357.tif 000005
【図４Ａ】
2021512357.tif 000006
【図４Ｂ】
2021512357.tif 000007
【図５Ａ】
2021512357.tif 000008
【図５Ｂ】
2021512357.tif 000009
【図５Ｃ】
2021512357.tif 000010
【図５Ｄ】
2021512357.tif 000011
【図６】
2021512357.tif 000012
【国際調査報告】
2021512357.tif 000013
2021512357.tif 000014
2021512357.tif 000015
2021512357.tif 000016